(57)【要約】  本発明の実施形態は、移動管理エンティティＭＭＥなどのモバイルネットワークエンティティであって、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端ＭＴデータ配信をサポートするために：  −  ＳＣＥＦがＭＴデータ配信レスポンスを待つ時間フレームを示す情報を含むＭＴデータ配信リクエストをＳＣＥＦから受け取ること、を行うように構成される。
2019500796.tif 000002
【特許請求の範囲】
【請求項１】
移動管理エンティティＭＭＥなどのモバイルネットワークエンティティであって、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非ＩＰデータ配信ＭＴ  ＮＩＤＤをサポートするために、
−  ＳＣＥＦがＭＴ  ＮＩＤＤレスポンスを待つ時間フレームを示す情報を含むＭＴ  ＮＩＤＤリクエストをＳＣＥＦから受け取ること
を行うように構成される、モバイルネットワークエンティティ。
【請求項２】
−  ＵＥが前記時間フレーム内で応答することが予期される場合、ＭＴデータを格納すること、ＵＥが到達可能であることが知られているときにＵＥをページングすること、およびＵＥがページングリクエストに応答するときにＭＴデータをＵＥに配信すること
を行うように構成される、請求項１に記載のモバイルネットワークエンティティ。
【請求項３】
−  ＵＥが前記時間フレーム内で応答する場合、ＵＥへのＭＴデータを配信した時に成功配信を示すＭＴ  ＮＩＤＤレスポンスを送ること
を行うように構成される、請求項１または２に記載のモバイルネットワークエンティティ。
【請求項４】
サービス能力エクスポージャ機能ＳＣＥＦであって、前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非ＩＰデータ配信ＭＴ  ＮＩＤＤをサポートするために、
−  ＳＣＥＦがＭＴ  ＮＩＤＤレスポンスを待つ時間フレームを示す情報を含むＭＴ  ＮＩＤＤリクエストを前記モバイルネットワークエンティティに送ること
を行うように構成される、サービス能力エクスポージャ機能ＳＣＥＦ。
【請求項５】
−  前記時間フレーム内での成功配信を示すＭＴ  ＮＩＤＤレスポンスを受け取ること
を行うように構成される、請求項４に記載のサービス能力エクスポージャ機能ＳＣＥＦ。
【請求項６】
移動管理エンティティＭＭＥなどのモバイルネットワークエンティティであって、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非ＩＰデータ配信ＭＴ  ＮＩＤＤをサポートするために、
−  ＳＣＥＦがＭＴデータを再送信できる最大再送信時間を示す情報を含むＭＴ  ＮＩＤＤリクエストをＳＣＥＦから受け取ること
を行うように構成される、モバイルネットワークエンティティ。
【請求項７】
−  ＵＥが前記最大再送信時間内に応答することが予期される場合、ＵＥへの不成功配信を示すＭＴ  ＮＩＤＤレスポンスの中で、モバイルネットワークエンティティによってリクエストされる再送信時間を示す情報をＳＣＥＦに送ること
を行うように構成される、請求項６に記載のモバイルネットワークエンティティ。
【請求項８】
−  ＳＣＥＦがＭＴ  ＮＩＤＤレスポンスを待つ時間フレームを示す情報を含むＭＴ  ＮＩＤＤリクエストを受け取ること、
−  ＵＥが、前記最大再送信時間内であるが、前記時間フレーム外で応答することが予期される場合、モバイルネットワークエンティティによってリクエストされる再送信時間を示す前記情報を送ること
を行うように構成される、請求項７に記載のモバイルネットワークエンティティ。
【請求項９】
−  ＭＴ  ＮＩＤＤリクエストがＳＣＥＦに対して進行中であることを示す情報を格納すること
を行うように構成される、請求項７または８に記載のモバイルネットワークエンティティ。
【請求項１０】
−  前記リクエストされた再送信時間より前に、ＵＥが利用可能になると、ＵＥが前記ＭＴデータ配信に対して利用可能であることをＳＣＥＦに通告すること
を行うように構成される、請求項７から９のいずれか一項に記載のモバイルネットワークエンティティ。
【請求項１１】
−  新しいサービングモバイルネットワークエンティティにＵＥが移動すると、前記移動をＳＣＥＦに通告し、前記新しいサービングモバイルネットワークエンティティへのＭＴデータの再送信をトリガすること
を行うように構成される、請求項７から１０のいずれか一項に記載のモバイルネットワークエンティティ。
【請求項１２】
−  新しいサービングモバイルネットワークエンティティにＵＥが移動すると、このＵＥへの保留中のＭＴ  ＮＩＤＤがあることを、前記新しいサービングモバイルネットワークエンティティに通告すること
を行うように構成される、請求項７から１１のいずれか一項に記載のモバイルネットワークエンティティ。
【請求項１３】
サービス能力エクスポージャ機能ＳＣＥＦであって、前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非ＩＰデータ配信ＭＴ  ＮＩＤＤをサポートするために、
−  ＳＣＥＦがＭＴデータを再送信できる最大再送信時間を示す情報を含むＭＴ  ＮＩＤＤリクエストを前記モバイルネットワークエンティティに送ること
を行うように構成される、サービス能力エクスポージャ機能ＳＣＥＦ。
【請求項１４】
−  不成功配信を示し、モバイルネットワークエンティティによってリクエストされる再送信時間を示す情報を収めるＭＴ  ＮＩＤＤレスポンスを、前記モバイルネットワークエンティティから受け取ること
を行うように構成される、請求項１３に記載のサービス能力エクスポージャ機能ＳＣＥＦ。
【請求項１５】
−  ＳＣＥＦがＭＴ  ＮＩＤＤレスポンスを待つ時間フレームを示す情報を含むＭＴ  ＮＩＤＤリクエストを前記モバイルネットワークエンティティに送ること、
−  ＵＥが、前記最大再送信時間内であるが、前記時間フレーム外で応答する場合、不成功配信を示すＭＴ  ＮＩＤＤレスポンスを受け取ること
を行うように構成される、請求項１３または１４に記載のサービス能力エクスポージャ機能ＳＣＥＦ。
【請求項１６】
−  不成功配信を示し、モバイルネットワークエンティティによってリクエストされる再送信時間を示す情報を収めるＭＴ  ＮＩＤＤレスポンスを、前記モバイルネットワークエンティティから受け取ると、前記配信が延期されることを、サービス能力サーバまたはアプリケーションサーバＳＣＳ／ＡＳなどのソースノードに通告すること
を行うように構成される、請求項１３から１５のいずれか一項に記載のサービス能力エクスポージャ機能ＳＣＥＦ。
【請求項１７】
−  不成功配信を示し、モバイルネットワークエンティティによってリクエストされる再送信時間を示す情報を収めるＭＴ  ＮＩＤＤレスポンスを、前記モバイルネットワークエンティティから受け取ると、モバイルネットワークエンティティによってリクエストされたその時に、ＭＴデータを再送信すること
を行うように構成される、請求項１３から１６のいずれか一項に記載のサービス能力エクスポージャ機能ＳＣＥＦ。
【請求項１８】
−  不成功配信を示し、モバイルネットワークエンティティによってリクエストされる再送信時間を示す情報を収めるＭＴ  ＮＩＤＤレスポンスを、前記モバイルネットワークエンティティから受け取ると、モバイルネットワークエンティティによってリクエストされたその時に、またはＵＥが前記ＭＴデータ配信に対して利用可能であるという、モバイルネットワークエンティティからの通知をＳＣＥＦが受け取った場合、前記リクエストされた再送信時間より前の時間に、ＭＴデータを再送信すること
を行うように構成される、請求項１３から１７のいずれか一項に記載のサービス能力エクスポージャ機能ＳＣＥＦ。
【請求項１９】
−  不成功配信を示し、モバイルネットワークエンティティによってリクエストされる再送信時間を示す情報を収めるＭＴ  ＮＩＤＤレスポンスを、サービス能力サーバまたはアプリケーションサーバＳＣＳ／ＡＳなどのソースノードに送ること
を行うように構成される、請求項１３から１８のいずれか一項に記載のサービス能力エクスポージャ機能ＳＣＥＦ。
【請求項２０】
移動管理エンティティＭＭＥなどのモバイルネットワークエンティティであって、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非ＩＰデータ配信ＭＴ  ＮＩＤＤをサポートするために、
−  ＳＣＥＦからのＭＴ  ＮＩＤＤリクエストを拒否した後、ＵＥ到達可能性を監視するように一旦構成されると、ＵＥが到達可能であることを示す通知の中で、最大ＵＥ利用可能時間を示す情報をＳＣＥＦに送ること
を行うように構成される、モバイルネットワークエンティティ。
【請求項２１】
サービス能力エクスポージャ機能ＳＣＥＦであって、前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非ＩＰデータ配信ＭＴ  ＮＩＤＤをサポートするために、
−  不成功配信の後、ＵＥが到達可能であることを示す通知の中で、最大ＵＥ利用可能時間を示す情報を、モバイルネットワークエンティティから受け取ること
を行うように構成される、サービス能力エクスポージャ機能ＳＣＥＦ。
【請求項２２】
−  最大ＵＥ利用可能時間を示す前記情報を使用してＭＴデータの再送信を優先させること
を行うように構成される、請求項２１に記載のサービス能力エクスポージャ機能ＳＣＥＦ。
【請求項２３】
−  最大ＵＥ利用可能時間を示す前記情報を、サービス能力サーバまたはアプリケーションサーバＳＣＳ／ＡＳなどのソースノードに通告すること
を行うように構成される、請求項２１または２２に記載のサービス能力エクスポージャ機能ＳＣＥＦ。
【請求項２４】
−  前記不成功配信を示し、ＵＥ到達可能性を監視することがトリガされるという指示を収めるＭＴ  ＮＩＤＤレスポンスを、サービス能力サーバまたはアプリケーションサーバＳＣＳ／ＡＳなどのソースノードに送ること
を行うように構成される、請求項２１から２３のいずれか一項に記載のサービス能力エクスポージャ機能ＳＣＥＦ。
【請求項２５】
サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非ＩＰデータ配信ＭＴ  ＮＩＤＤをサポートするための方法であって、前記方法は、請求項１から２４のいずれか一項に従って構成される少なくとも１つのエンティティによって実施される少なくとも１つのステップを含む、方法。
【発明の詳細な説明】
【技術分野】
【０００１】
本発明は、概して、モバイル通信ネットワークおよびシステムに関する。
【背景技術】
【０００２】
モバイル通信ネットワークおよびシステムの説明は、特に、例えば、３ＧＰＰ（第３世代パートナーシッププロジェクト）などの標準化団体によって刊行された技術仕様書などの文献に見られる。
【０００３】
このようなシステムの例は、特に３ＧＰＰ  ＴＳ  ２３．４０１に規定される進化型パケットシステム（ＥＰＳ：Ｅｖｏｌｖｅｄ  Ｐａｃｋｅｔ  Ｓｙｓｔｅｍ）である。
【０００４】
マシン型通信（ＭＴＣ：Ｍａｃｈｉｎｅ  Ｔｙｐｅ  Ｃｏｍｍｕｎｉｃａｔｉｏｎｓ）アプリケーションなどのアプリケーションとの通信を容易にするため、拡張機能が、現在、ＥＰＳなどのシステムに導入されている。このような拡張機能は、特に３ＧＰＰ  ＴＳ２３．６８２に規定される。このような拡張機能の例は、高レイテンシ通信のための機能を含み、これは、特に３ＧＰＰ  ＴＳ  ２３．６８２および３ＧＰＰ  ＴＳ  ２３．４０１に規定されるように、省電力機能、例えば拡張アイドルモードＤＲＸを使用している間、到達不能なユーザ機器（ＵＥ：Ｕｓｅｒ  Ｅｑｕｉｐｍｅｎｔ）とのモバイル終端（ＭＴ：Ｍｏｂｉｌｅ  Ｔｅｒｍｉｎａｔｅｄ）通信を取り扱うために使用されることがある。
【０００５】
セルラ系モノのインターネット（ＣＩｏＴ：Ｃｅｌｌｕｌａｒ  Ｉｎｔｅｒｎｅｔ  ｏｆ  Ｔｈｉｎｇｓ）のために、ＥＰＳなどのシステムのさらなる最適化が現在研究中である。ＣＩｏＴのためのこのような最適化の例は、非ＩＰデータ配信（ＮＩＤＤ：Ｎｏｎ−ＩＰ  Ｄａｔａ  Ｄｅｌｉｖｅｒｙ）のサポート、すなわちインターネットプロトコル（ＩＰ：Ｉｎｔｅｒｎｅｔ  Ｐｒｏｔｏｃｏｌ）を使用しないデータの配信である。
【先行技術文献】
【非特許文献】
【０００６】
【非特許文献１】Ｓ２−１５４４５４：２３．４０１  ＣＲ２９３４：Ｉｎｔｒｏｄｕｃｉｎｇ  ｓｕｐｐｏｒｔ  ｆｏｒ  Ｎｏｎ−ＩＰ  ｄａｔａ  ｆｏｒ  ＣＩｏＴ
【非特許文献２】Ｓ２−１５４４００：２３．６８２  ＣＲ０１５４：Ｉｎｔｒｏｄｕｃｔｉｏｎ  ｏｆ  ｎｏｎ−ＩＰ  ｄａｔａ  ｄｅｌｉｖｅｒｙ  ｖｉａ  ｔｈｅ  ＳＣＥＦ  ｆｏｒ  ｃｅｌｌｕｌａｒ  ＩｏＴ
【発明の概要】
【発明が解決しようとする課題】
【０００７】
発明者によって認識されるように、および後でさらに詳細に説明されるように、拡張アイドルモードＤＲＸを使用するユーザ機器ＵＥへのモバイル終端（ＭＴ）データサービスのサポートを改善する必要がある。
【０００８】
サービス能力エクスポージャ機能ＳＣＥＦ（Ｓｅｒｖｉｃｅ  Ｃａｐａｂｉｌｉｔｙ  Ｅｘｐｏｓｕｒｅ  Ｆｕｎｃｔｉｏｎ）と移動管理エンティティＭＭＥ（Ｍｏｂｉｌｉｔｙ  Ｍａｎａｇｅｍｅｎｔ  Ｅｎｔｉｔｙ）などのモバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、特にモバイル終端非ＩＰデータ配信（ＭＴ  ＮＩＤＤ：Ｍｏｂｉｌｅ−Ｔｅｒｍｉｎａｔｅｄ  Ｎｏｎ−ＩＰ  Ｄａｔａ  Ｄｅｌｉｖｅｒｙ）などのモバイル終端（ＭＴ）データ配信サービスのサポートを改善する必要がある。
【０００９】
拡張アイドルモードＤＲＸを使用するユーザ機器ＵＥへのモバイル終端ショートメッセージサービス（ＭＴ−ＳＭＳ：Ｍｏｂｉｌｅ−Ｔｅｒｍｉｎａｔｅｄ  Ｓｈｏｒｔ  Ｍｅｓｓａｇｅ  Ｓｅｒｖｉｃｅ）のサポートも改善する必要がある。
【００１０】
本発明の実施形態は、このようなニーズに特に対処する。
【課題を解決するための手段】
【００１１】
１つの態様において、これらのおよびその他の目的は、移動管理エンティティＭＭＥなどのモバイルネットワークエンティティによって実現され、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端ＭＴデータ配信をサポートするために、
−  ＳＣＥＦがＭＴデータ配信レスポンスを待つ時間フレームを示す情報を含むＭＴデータ配信リクエストをＳＣＥＦから受け取ること
を行うように構成される。
【００１２】
別の態様において、これらのおよびその他の目的は、サービス能力エクスポージャ機能ＳＣＥＦによって実現され、前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端ＭＴデータ配信をサポートするために、
−  ＳＣＥＦがＭＴデータ配信レスポンスを待つ時間フレームを示す情報を含むＭＴデータ配信リクエストを前記モバイルネットワークエンティティに送ること
を行うように構成される。
【００１３】
別の態様において、これらのおよびその他の目的は、移動管理エンティティＭＭＥなどのモバイルネットワークエンティティによって実現され、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端ＭＴデータ配信をサポートするために、
−  ＭＴデータを再送信するために、最大再送信時間の情報を含むＭＴデータ配信リクエストをＳＣＥＦから受け取ること
を行うように構成される。
【００１４】
別の態様において、これらのおよびその他の目的は、サービス能力エクスポージャ機能ＳＣＥＦによって実現され、前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、ＭＴデータ配信をサポートするために、
−  ＭＴデータを再送信するために、最大再送信時間を示す情報を含むＭＴデータ配信リクエストを前記モバイルネットワークエンティティに送ること
を行うように構成される。
【００１５】
別の態様において、これらのおよびその他の目的は、移動管理エンティティＭＭＥなどのモバイルネットワークエンティティによって実現され、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端データ配信をサポートするために、
−  ＳＣＥＦからのＭＴデータ配信リクエストを拒否した後、ＵＥ到達可能性を監視するように一旦構成されると、ＵＥが再び到達可能であることを示す通知の中で、このＵＥへのＭＴデータの再送信を優先させることを命令する情報をＳＣＥＦに送ること
を行うように構成される。
【００１６】
別の態様において、これらのおよびその他の目的は、サービス能力エクスポージャ機能ＳＣＥＦによって実現され、前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端データ配信をサポートするために、
−  不成功配信の後、ＵＥが再び到達可能であることを示す通知の中で、このＵＥへのＭＴデータの再送信を優先させることを命令する情報をモバイルネットワークエンティティから受け取ること
を行うように構成される。
【００１７】
別の態様において、これらのおよびその他の目的は、サービス能力エクスポージャ機能ＳＣＥＦと前記モバイルコアネットワークエンティティとの間のＴ６ａインターフェースなどのインターフェースを介した、前記モバイルコアネットワークエンティティによってサービスされる拡張アイドルモードＤＲＸを使用するユーザ機器ＵＥへの、モバイル終端ＳＭＳをサポートするために、またはモバイル終端する（Ｍｏｂｉｌｅ  Ｔｅｒｍｉｎａｔｉｎｇ）データ配信をサポートするために、
−  ＵＥへのモバイル終端ＳＭＳまたはモバイル終端データの保留中の配信に基づいて、ＵＥとのシグナリング接続が維持されるべき時間を決定する際に無線アクセスネットワークを支援するために、無線アクセスネットワークに情報を送ること
を行うように構成される、移動管理エンティティＭＭＥなどのモバイルコアネットワークエンティティによって実現される。
【００１８】
別の態様において、これらのおよびその他の目的は、拡張アイドルモードＤＲＸを使用するユーザ機器ＵＥへの、モバイル終端配信サービスをサポートするための方法によって実現され、前記方法は、このように構成されたエンティティのうちの少なくとも１つによって実施される少なくとも１つのステップを含む。
【００１９】
本発明の実施形態による装置および／または方法のいくつかの実施形態は、ほんの一例として、添付の図面を参照しながら、これから説明される。
【図面の簡単な説明】
【００２０】
【図１】現在定義されるような、拡張アイドルモードＤＲＸを使用するＵＥへのＭＴ  ＮＩＤＤ（非ＩＰデータ配信）の手順の問題を示すことを意図する図である。
【図２】ＳＣＥＦによって示される時間ウィンドウ内で、ＵＥがページングリクエストに応答することが予期される場合に、ＭＭＥが非ＩＰデータを格納する、拡張アイドルモードＤＲＸを使用するＵＥへのＭＴ  ＮＩＤＤの手順の例を示す図である。
【図３】（後の）リクエストされた再送信時間に、非ＩＰデータの再送信をＭＭＥがリクエストする、拡張アイドルモードＤＲＸを使用するＵＥへのＭＴ  ＮＩＤＤの手順の例を示す図である。
【図４】リクエストされた再送信時間より前に、非ＩＰデータの再送信をＭＭＥがリクエストする、拡張アイドルモードＤＲＸを使用するＵＥへのＭＴ  ＮＩＤＤの手順の例を示す図である。
【図５】（後の）リクエストされた再送信時間に、非ＩＰデータの再送信をＭＭＥがリクエストし、ＭＭＥによってリクエストされた再送信時間がＳＣＳ／ＡＳに伝播される、拡張アイドルモードＤＲＸを使用するＵＥへのＭＴ  ＮＩＤＤの手順の例を示す図である。
【図６】監視リクエストがＳＣＳ／ＡＳによって送られることにより、後続の通知によって再送信がトリガされる、拡張アイドルモードＤＲＸを使用するＵＥへのＭＴ  ＮＩＤＤの手順の例を示す図である。
【図７】監視リクエストがＳＣＥＦによって送られることにより、後続の通知によって再送信がトリガされる、拡張アイドルモードＤＲＸを使用するＵＥへのＭＴ  ＮＩＤＤの手順の例を示す図である。
【発明を実施するための形態】
【００２１】
略語
ＡＳ  アプリケーションサーバ
ＣＩｏＴ  セルラ系モノのインターネット
ＤＲＸ  間欠受信
Ｅ−ＵＴＲＡＮ  進化型地上無線アクセスネットワーク
ＥＰＳ  進化型パケットシステム
ＨＳＳ  ホーム加入者サーバ
ＩＳＤ  挿入加入者データ
ＭＭＥ  移動管理エンティティ
ＭＴ  モバイル終端
ＮＩＤＤ  非ＩＰデータ配信
ＳＣＥＦ  サービス能力エクスポージャ機能
ＳＣＳ  サービス能力サーバ
ＳＭＳ  ショートメッセージサービス
ＵＥ  ユーザ機器
【００２２】
当業者によって理解されるように、モバイル終端非ＩＰデータ配信のケースに対して以下に説明される本発明の様々な実施形態および／または態様は、このようなケースに限定されず、モバイル終端データ配信に、より一般的に適用される。
【００２３】
当業者によって理解されるように、移動管理エンティティＭＭＥによってサービスされるＵＥのケースに対して、すなわちＥ−ＵＴＲＡＮ（すなわち４Ｇ無線環境）のケースに対して以下に説明される本発明の様々な実施形態および／または態様は、このようなケースに限定されず、（５Ｇなどの）その他の無線環境に適用されてよく、ＵＥは、ＭＭＥ以外のモバイルネットワークエンティティによってサービスされる。
【００２４】
３ＧＰＰ  ＳＡ２は、ＣＩｏＴ（セルラ系モノのインターネット）のＥＰＳ最適化を、ＵＥのシグナリングがサポートするために、３ＧＰＰ  Ｒｅｌ−１３において、新しい「非ＩＰデータ配信」の特性を規定しているところであり、それによって、ＵＥと、非ＩＰピアポイント（ＳＣＳ／ＡＳとしても知られるアプリケーションサーバ）または非ＩＰゲートウェイインターワーキング機能との間の非ＩＰデータ配信（ＮＩＤＤ）は、サービングＭＭＥと、ＳＣＥＦ（サービス能力エクスポージャ機能）との間のＴ６ａインターフェースを使用して、達成される可能性がある。ＳＡ２＃１１２（２０１５年１１月）において技術的に示されるステージ２  ＣＲ［１］および［２］を参照されたい。
【００２５】
参考文献：
［１］Ｓ２−１５４４５４：２３．４０１  ＣＲ２９３４：Ｉｎｔｒｏｄｕｃｉｎｇ  ｓｕｐｐｏｒｔ  ｆｏｒ  Ｎｏｎ−ＩＰ  ｄａｔａ  ｆｏｒ  ＣＩｏＴ
［２］Ｓ２−１５４４００：２３．６８２  ＣＲ０１５４：Ｉｎｔｒｏｄｕｃｔｉｏｎ  ｏｆ  ｎｏｎ−ＩＰ  ｄａｔａ  ｄｅｌｉｖｅｒｙ  ｖｉａ  ｔｈｅ  ＳＣＥＦ  ｆｏｒ  ｃｅｌｌｕｌａｒ  ＩｏＴ。
【００２６】
３ＧＰＰ  ＳＡ２における定義に現在基づくソリューションでは、サービングＭＭＥがデータをＵＥに配信できない場合、非ＩＰデータ配信は失敗する。これは、（ＵＥは非常に短い時間、例えば場合によっては４３分ごとに１０秒間だけページングチャネルを実際にリッスンしているので、）拡張アイドルモードＤＲＸなどの省電力メカニズムを使用するＵＥへの、ネットワークによって開始される非ＩＰデータ配信の（ほぼ体系的な）失敗をもたらすであろう。
【００２７】
現在のソリューションによると、ＳＣＳ／ＡＳは、ＵＥへの任意のＭＴ非ＩＰデータ配信を開始するより前にＵＥが到達可能になるときに通知されることを予約する必要があり、これは、ネットワーク内に過度のシグナリングを引き起こし、拡張アイドルモードＤＲＸなどの省電力メカニズムを使用するＵＥへのＭＴ  ＳＭＳの手順より、シグナリング効率が低くなるであろう。
【００２８】
さらに、ＭＭＥがＵＥとのシグナリング接続を維持する期間について、ＳＣＳ／ＡＳとＭＭＥの間の同期はない。そのため、（例えば、ＳＣＳ／ＡＳの過負荷のために、）シグナリング接続が維持される時間ウィンドウの間に、ＳＣＳ／ＡＳが非ＩＰデータを再送信するという保証はない。
【００２９】
［２］において現在定義されているようなＭＴ  ＮＩＤＤの手順が、図１に描写される：
【００３０】
１．  ＳＣＳ／ＡＳは、ＭＴ非ＩＰデータをＵＥに送る必要がある。
【００３１】
２．  ＳＣＳ／ＡＳは、ＭＭＥがＭＴ非ＩＰデータをＵＥに配信できない場合、ＭＴ  ＮＩＤＤリクエストは拒否されるので、最初に、いつＵＥが到達可能になるかを監視するようにリクエストする必要がある。
【００３２】
３．  ＳＣＥＦは、３ＧＰＰ  Ｒｅｌ−１３に規定される監視特性の中で規定されるように、ＨＳＳ内に監視イベントを構成する（３ＧＰＰ  ＴＳ  ２３．６８２参照）。
【００３３】
４．  ＨＳＳは、３ＧＰＰ  Ｒｅｌ−１３に規定される監視特性の中で規定されるように、サービングＭＭＥ内に監視イベントを構成する（３ＧＰＰ  ＴＳ  ２３．６８２参照）。
【００３４】
５から７．  ＳＣＳ／ＡＳは、監視リクエストがネットワークによって考慮されたことをＨＳＳおよびＳＣＥＦを介して通知される。
【００３５】
８．  ＭＭＥは、（拡張アイドルモードＤＲＸを使用するＵＥのために、ＵＥと取り決められた拡張型ＤＲＸサイクルを考慮する）ＵＥの次のページング発生時にＵＥをページングする。
【００３６】
９．  ＵＥは、ページングリクエストに応答する。
【００３７】
１０．  ＭＭＥは、ＵＥが利用可能であることをＳＣＥＦに通知する。ＭＭＥは、ＵＥとのシグナリング接続も維持し、ＵＥへのシグナリングまたはデータのその後の交換を可能にする。
【００３８】
１１．  ＳＣＥＦは、ＵＥが利用可能であることをＳＣＳ／ＡＳに通知する。
【００３９】
１２．  ＳＣＳ／ＡＳは、ＵＥへの非ＩＰデータの伝送を開始する。
【００４０】
１３．  ＳＣＥＦは、非ＩＰデータをサービングＭＭＥへ送る。
【００４１】
１４．  ＭＭＥは、非ＩＰデータをＵＥに伝送する。
【００４２】
１５から１６．  ＵＥへの非ＩＰデータの伝送が成功したことが、ＳＣＳ／ＡＳに報告される。
【００４３】
注意：参照文献［２］は、ステップ２から１１を説明していないが、これらのステップがないと、ＵＥが拡張アイドルモードＤＲＸなどの省電力メカニズムを使用し、ＵＥがページングリクエストにすぐに応答することが予期されない場合、ＭＴ  ＮＩＤＤリクエスト（ステップ１２以降）は失敗するであろう。
【００４４】
現在の手順によって引き起こされる問題は以下を含む：
【００４５】
ａ．  これは、ＵＥへの、あらゆるネットワークが開始したＮＩＤＤに対する、ＨＳＳにおけるシグナリングを含む、ネットワーク内の過度のシグナリングを引き起こすであろう。
【００４６】
ｂ．  ＭＭＥがＵＥとのシグナリング接続を維持する期間について、ＳＣＳ／ＡＳとＭＭＥの間に同期はない。そのため、（例えば、ＳＣＳ／ＡＳの過負荷の場合に、）シグナリング接続が維持される時間ウィンドウの間に、ＳＣＳ／ＡＳが非ＩＰデータを再送信するという保証はない。
【００４７】
ｃ．  ＭＴ  ＮＩＤＤの手順は、ＭＴ  ＳＭＳのための既存の手順より、シグナリング効率がさらに低くなるであろう。
【００４８】
したがって、Ｔ６ａインターフェースなどのインターフェースを介した、拡張アイドルモードＤＲＸなどの省電力メカニズムを使用するＵＥへの、ＳＣＥＦとサービングＭＭＥとの間の効率的なＭＴ非ＩＰデータ配信をサポートするために、最適化が要求される。
【００４９】
本発明の実施形態および／または態様は、特に、効率的なＭＴ非ＩＰデータ配信をこのようにサポートすることを可能にする。
【００５０】
本発明の実施形態および／または態様は、種々のオプションを含む。
【００５１】
本発明のいくつかの態様および／または実施形態において、これらの種々のオプションは、ＭＭＥの観点から、以下の方式に要約され得る。
【００５２】
ＭＴ  ＮＩＤＤリクエストを受け取ると、ＭＭＥは以下のことを行うことができる：
・  すぐに、もしくはＳＣＥＦがＭＴ  ＮＩＤＤレスポンスを予期する時間ウィンドウ内に、ＵＥが到達可能であることが予期される場合、非ＩＰデータを格納し、（ＳＣＥＦからの）いずれの非ＩＰデータの再送信も行わずに非ＩＰデータをＵＥに送る、または、
・  非ＩＰデータが最大再送信時間内に再送信される可能性があることを、ＭＴ  ＮＩＤＤリクエストが示した場合、およびこの期間の中でＵＥが到達可能であることが予期される場合、エラー、および非ＩＰデータがＭＭＥに再送信されるべき時間の指示と共に、ＭＴ  ＮＩＤＤレスポンスを返す。もしそうなら、ＳＣＥＦもしくはＳＣＳ／ＡＳは、ＭＴ  ＮＩＤＤレスポンスの中でリクエストされたそのときに、非ＩＰデータを格納し、非ＩＰデータをＭＭＥに再送信し、非ＩＰデータが再送信されることをリクエストした時間より前に、ＵＥがモバイル発信ＮＡＳシグナリングを開始する場合、ＭＭＥは通知をＳＣＥＦに送ってＵＥが利用可能であることを報告し、それから非ＩＰデータの再送信をすぐにトリガすることができる、または、
その他の場合に、例えば、ＳＣＥＦによって示される最大再送信時間内に、ＵＥが到達可能であることが予期されない場合に、エラーと共にＭＴ  ＮＩＤＤレスポンスを返す。ＳＣＥＦもしくはＳＣＳ／ＡＳは、次に、ＵＥが到達可能になったときに通知されるように、監視リクエストの手順を開始することができ、ＵＥが到達可能になるときに非ＩＰデータを再送信することができる。ＵＥが利用可能であることをＳＣＥＦおよびＳＣＳ／ＡＳに通知すると、ＭＭＥは、例えば、ＭＭＥがＵＥとのシグナリング接続を維持する予定である期間をシグナリングすることによって、ＳＣＳ／ＡＳがこのＵＥへの非ＩＰデータの再送信を優先させるべきであるということもシグナリングする。
【００５３】
本発明の実施形態および／または態様は、オプション１、オプション２、オプション３として以下に引用される種々のオプションを含む。これらの種々のオプションに関連したＭＴ  ＮＩＤＤの手順の例は、図２から図７に関連して説明される。
【００５４】
オプション１。このオプションは、以下の方式で要約され得る。ＳＣＥＦは、ＭＴ  ＮＩＤＤリクエストの中で、ＳＣＥＦがＭＴ  ＮＩＤＤレスポンスを待つ時間ウィンドウを示し、いつまでＭＭＥがＭＴ  ＮＩＤＤレスポンスを送れるかをサービングＭＭＥに知らせる。これは、すぐに、またはＮＩＤＤスタート時間／タイマーによって示される時間フレーム内に（例えば、次の３０秒から１０分以内に）、ＵＥがページングリクエストに応答することが予期される場合、ＭＭＥが非ＩＰデータを格納し、いずれの再送信も行わずに非ＩＰデータをＵＥに送ることを可能にする。
【００５５】
注意：ＭＴ  ＮＩＤＤレスポンスが待たされる時間をシグナリングするための情報エレメントは、ＮＩＤＤスタート時間およびＮＩＤＤスタートタイマー、または任意のその他の形式の形をとることができる。
【００５６】
図２は、すぐに、またはＳＣＥＦによって示される時間ウィンドウ内に、ＵＥがページングリクエストに応答することが予期される場合に、ＭＭＥが非ＩＰデータを格納する、このようなＭＴ  ＮＩＤＤの手順の例を示す。
【００５７】
図２に示されるＭＴ  ＮＩＤＤの手順の例は、以下のステップを含む：
【００５８】
１．  ＳＣＳ／ＡＳは、ＭＴ非ＩＰデータをＵＥに送る必要がある。
【００５９】
２．  ＳＣＳ／ＡＳは、ＵＥへの非ＩＰデータの伝送を開始する。
【００６０】
３．  ＳＣＥＦは、サービングＭＭＥへの、（非ＩＰデータ、およびＮＩＤＤスタート時間／タイマーによって示される上述の時間フレームを含む）ＭＴ  ＮＩＤＤリクエストを送る。
【００６１】
４．  ＭＭＥは、ＵＥへの非ＩＰデータを格納し、ＵＥをページングする。
【００６２】
５．  ＵＥは、ページングレスポンスを送る。
【００６３】
６．  ＭＭＥは、非ＩＰデータをＵＥに伝送する。
【００６４】
７から８．  ＵＥへの非ＩＰデータの伝送が成功したことが、ＳＣＳ／ＡＳに報告される。
【００６５】
オプション２。このオプションは、以下の方式で要約され得る。ＳＣＥＦが、非ＩＰデータを格納し、再送信するオプションをサポートする場合、ＳＣＥＦは、ＭＴ  ＮＩＤＤリクエストの中で、新しい最大再送信時間の情報エレメント（ＩＥ：Ｉｎｆｏｒｍａｔｉｏｎ  Ｅｌｅｍｅｎｔ）（例えば、１０分から４３分）を示す。もしそうなら、このＩＥは、非ＩＰデータがすぐに配信される可能性がない場合に、どのくらいの間、ＳＣＥＦが、非ＩＰデータを格納するのに備えるかも示す。
【００６６】
ＵＥが、最大再送信時間内に（しかし「オプション１」のメカニズムが使用されるのを可能にするのに十分早くない）応答することが予期される場合、ＭＭＥは、非ＩＰデータがＭＭＥに再送されるべき時間の指示を伴うＭＴ  ＮＩＤＤリクエストを拒否する。ＭＭＥは、いずれのＭＮＲＦ（Ｍｏｂｉｌｅ  Ｎｏｔ  Ｒｅａｃｈａｂｌｅ）のようなフラグもセットせず、すなわち、ＵＥが利用可能になるときに、ＭＭＥは、後続のいずれの通知もＨＳＳに送らないであろう。
【００６７】
ＳＣＥＦは、非ＩＰデータを格納し、ＭＴ  ＮＩＤＤレスポンスの中でリクエストされたその時に、非ＩＰデータをＭＭＥに再送信する。ＭＭＥによって示されたその時にＵＥが到達可能ではない場合、新しいＭＴ  ＮＩＤＤリクエストは、下記の「オプション３」まで後退するために、最大再送信時間のＩＥを含むべきではない。
【００６８】
図３は、ＭＭＥが後で非ＩＰデータの再送信をリクエストする、このようなＭＴ  ＮＩＤＤの手順の例を示す。
【００６９】
図３に示されるＭＴ  ＮＩＤＤの手順の例は、以下のステップを含む：
【００７０】
１．  ＳＣＳ／ＡＳは、ＵＥに対してＭＴ非ＩＰデータを送る必要がある。
【００７１】
２．  ＳＣＳ／ＡＳは、ＵＥへの非ＩＰデータの伝送を開始する。
【００７２】
３．  ＳＣＥＦは、ＳＣＥＦが非ＩＰデータを再送信できる時間の指示と共に、サービングＭＭＥへ非ＩＰデータを送る。
【００７３】
４．  ＭＭＥは、リクエストを拒否し、非ＩＰデータが再送信されることをＭＭＥがリクエストする時間を示す。ＭＭＥは、ＮＩＤＤリクエストがＳＣＥＦに対して進行中であるということを格納する。
【００７４】
５．  ＳＣＥＦは、ＭＴ  ＮＩＤＤレスポンスをＳＣＳ／ＡＳに送り、非ＩＰデータをＵＥに送るリクエストが、ネットワークによって考慮されたことを肯定応答する。
【００７５】
６．  ＳＣＥＦは、ＭＭＥによってリクエストされたその時に、非ＩＰデータを再送信する。
【００７６】
７から９．  ＭＭＥは、非ＩＰデータをＵＥに配信する。
【００７７】
１０．  ＭＭＥは、成功のレスポンスをＳＣＥＦに送り、ＮＩＤＤリクエストがこのＳＣＥＦに対して進行中であるというあらゆる指示をクリアする。
【００７８】
１１．  ＳＣＥＦは、新しい指示メッセージをＳＣＳ／ＡＳに送り、非ＩＰデータの配信が成功したことを報告する。
【００７９】
非ＩＰデータが再送信されることをリクエストされた時間より前に、ＵＥがモバイル発信シグナリングを開始する場合、ＭＭＥは、ＳＣＥＦに通知メッセージを送ってＵＥの利用可能性についてＳＣＥＦに通告し、この場合、ＳＣＥＦは非ＩＰデータをすぐに再送信する。
【００８０】
図４は、リクエストされた再送信時間より前に、ＭＭＥが非ＩＰデータの再送信をリクエストする、このようなＭＴ  ＮＩＤＤの手順の例を示す。これは、ＮＩＤＤリクエストがＳＣＥＦに対して進行中であるということを、ＭＭＥがステップ４（図２）で格納していたが、ＵＥからＭＯシグナリングを受け取ることによってトリガされる、図４のステップ６に対応する。図４のその他のステップは、図３に示されるようなものであってよい。
【００８１】
注意：ステップ６で送られたメッセージは、新しいＭＴ  ＮＩＤＤ指示メッセージの形をとることができ、または既存の監視指示メッセージであってもよい。ステップ６において、ＭＭＥは、ＵＥが利用可能であり、ＭＭＥがＵＥをまだサービスしている（ＳＣＥＦがＨＳＳＳと再び交信し、ＭＭＥの識別子を得る必要はない）ことを示す。
【００８２】
同じように、ＮＩＤＤリクエストがＳＣＥＦに対して進行中であるということを、ＭＭＥがステップ４（図４）で格納していたとき、新しいＭＭＥに移動すると、古いＭＭＥは、類似の通知をＳＣＥＦに送り、ＵＥが別のサービングノードに去ったことをＳＣＥＦに通告することができる。ＳＣＥＦは、次に、ＨＳＳから新しいサービングＭＭＥのアドレスを取得し、非ＩＰデータを新しいサービングＭＭＥに再送信する。
【００８３】
新しいＭＭＥは、１）古いＭＭＥから通知を受け取る、２）新しいＭＭＥのアドレスがＨＳＳに格納されたことを確かめる、３）新しいＭＭＥの識別子をＨＳＳから取得する、４）新しいＭＴＮＩＤＤリクエストを新しいＭＭＥに発行する、ための時間をＳＣＥＦが有するのに十分長い時間、ＵＥをＣＯＮＮＥＣＴＥＤ状態に保つべきである。古いＭＭＥは、このために、このＵＥに対する保留中のＮＩＤＤ配信があるという指示を、新しいＭＭＥに提供することができる。
【００８４】
ＳＣＥＦに送られた通知は、ＵＥからの自発的なＭＯデータのケースとＭＭＥ変更のケースをＳＣＥＦが区別することを可能にする。前者のケースでは、ＳＣＥＦは、ＭＭＥの識別子を再びフェッチすべきではないが、後者では、ＳＣＥＦは、ＨＳＳからＭＭＥの識別子をフェッチする必要があり、ＭＴデータ配信がＵＥの新しい場所で許可されるかどうかを、ＨＳＳが制御することをさらに可能にする。
【００８５】
代替として、ＳＣＥＦは、ＭＭＥによってリクエストされた再送信時間をＳＣＳ／ＡＳに伝播させてよく、この場合、再送信はＳＣＳ／ＡＳの責任下にあり、すなわちＳＣＥＦは、非ＩＰデータを格納する必要がない。
【００８６】
図５は、ＭＭＥが後で非ＩＰデータの再送信をリクエストし、ＭＭＥによってリクエストされた再送信時間がＳＣＳ／ＡＳに伝播される、このようなＭＴ  ＮＩＤＤの手順の例を示す。
【００８７】
注意：最大再送信時間は、場合によっては、図３、または図４、または図５のステップ２において、ＳＣＳ／ＡＳによってシグナリングされる可能性もある。
【００８８】
オプション３。このオプションは、以下の方式で要約され得る。上記のオプションのいずれも可能でない場合、例えば、ＵＥが最大再送信時間内に到達可能であることが予期されない場合、いずれの再送信時間も示すことなく、ＭＭＥはＭＴ  ＮＩＤＤリクエストを拒否する。
【００８９】
ＳＣＳ／ＡＳまたはＳＣＥＦは、次に、ＵＥが到達可能になるときに通知されるように、監視リクエストを開始してよい。
【００９０】
ＵＥが到達可能になると、ＭＭＥは、このＵＥに送られる非ＩＰデータの再送信を優先させることを、ＳＣＥＦまたはＳＣＳ／ＡＳに命令する指示を含む、ＵＥが利用可能であるという通知を送る。指示は、ページングレスポンスの後、ネットワークがＵＥとのシグナリング接続を維持する予定である時間ウィンドウ（例えば、３０秒）を示す、例えば、新しい最大ＵＥ利用可能時間のＩＥの形をとってよい。
【００９１】
ＭＭＥは、ｅノードＢに通告し、非ＩＰデータをＵＥに再送信および配信するのに十分に長い時間、ＵＥとのシグナリング接続を維持するべきである。言い換えると、ＭＭＥなどのモバイルコアネットワークエンティティは、ＵＥへのモバイル終端ＳＭＳまたはモバイル終端データの保留中の配信に基づいて、ＵＥとのシグナリング接続が維持されるべき時間を決定する際に無線アクセスネットワークを支援するために、ｅノードＢなどの無線アクセスネットワークエンティティに情報を送るべきである。
【００９２】
ＭＭＥは、例えば、ＵＥへの保留中のシグナリング（例えば、非ＩＰデータ）があるかどうかに基づいて、より長い期待される活動期間の値をＳ１ＡＰシグナリング内にセットすることによって、またはこのＵＥに対する保留中のネットワークが開始したシグナリングがあることをｅノードＢに通告する、もしくはこのＵＥに対して使用されるべき推奨される最小ユーザ活動タイマーをｅノードＢに提供する、新しい情報を含めることによって、そのように行うことができる。
【００９３】
ｅノードＢ（またはより一般に、Ｅ−ＵＴＲＡＮ以外のその他の無線環境のケースに対するＲＡＮ）に通告することに関連したこれらの態様は、ＭＴデータ配信（ＭＴ  ＮＩＤＤなど）だけでなく、ＭＴショートメッセージサービス（ＳＭＳ）配信にも適用されるということに留意されたい。
【００９４】
図６は、ＳＣＳ／ＡＳが監視リクエストを開始するシナリオを示す。図７は、ＳＣＥＦが監視リクエストを開始するシナリオを示す。
【００９５】
図６は、後続の通知−ＳＣＳ／ＡＳによって送られる監視リクエストによって再送信がトリガされる、このようなＭＴ  ＮＩＤＤの手順の例を示す。
【００９６】
図７は、後続の通知−ＳＣＥＦによって送られる監視リクエストによって再送信がトリガされる、このようなＭＴ  ＮＩＤＤの手順の例を示す。
【００９７】
図６に示されるＭＴ  ＮＩＤＤの手順の例は、以下のステップを含む：
【００９８】
１．  ＳＣＳ／ＡＳは、ＵＥに対してＭＴ非ＩＰデータを送る必要がある。
【００９９】
２．  ＳＣＳ／ＡＳは、ＵＥへの非ＩＰデータの伝送を開始する。
【０１００】
３．  ＳＣＥＦは、サービングＭＭＥへ非ＩＰデータを送る。
【０１０１】
４．  ＭＭＥはリクエストを拒否する、すなわち不成功配信の指示を含むＭＴ  ＮＩＤＤレスポンスをＳＣＥＦへ送る。
【０１０２】
５．  ＳＣＥＦは、不成功配信の指示を含むＭＴ  ＮＩＤＤレスポンスをＳＣＳ／ＡＳへ送る。
【０１０３】
６から１１．  ＵＥ到達可能性を監視する手順は、ＳＣＳ／ＡＳによって開始される。
【０１０４】
１２．  ＭＭＥは、ＵＥをページングする。
【０１０５】
１３．  ＵＥは、ページングリクエストに応答する。
【０１０６】
１４．  ＭＭＥは、ＵＥが利用可能であることをＳＣＥＦに通知し、最大ＵＥ利用可能時間のＩＥをこの通知に含める。
【０１０７】
１１．  ＳＣＥＦは、ＵＥが利用可能であることをＳＣＳ／ＡＳに通知し、最大ＵＥ利用可能時間のＩＥをこの通知に含める。
【０１０８】
１２．  ＵＥへの非ＩＰデータの再送信は、最大ＵＥ利用可能時間の情報によって示される期間の中で、実施され、ＳＣＳ／ＡＳによって開始される。
【０１０９】
図７に示されるＭＴ  ＮＩＤＤの手順の例は、図６に示されるものに類似しており、図７においてＳＣＥＦがＵＥ到達可能性を監視するリクエストを開始することを考慮する。このケースでは、ステップ５においてＳＣＥＦによってＳＣＳ／ＡＳに送られるＭＴ  ＮＩＤＤレスポンスは、ＵＥ到達可能性を監視することがＳＣＥＦによってトリガされたという指示を含む。
【０１１０】
注意：新しい追加のパラメータが、図７のシナリオの動きを可能にするか否か（すなわち、ネットワークがトリガしたＵＥ到達可能性に関する報告）を、ステップ２において要求されることがある。
【０１１１】
注意：図７は、ＵＥが到達可能になるまでの継続時間の間、ＳＣＥＦが非ＩＰデータを格納する実装オプションも可能にするであろう。しかしこの実装形態オプションは好ましくない。
【０１１２】
本発明の様々な態様は、以下の態様を（これらに限定されないが）含む。
【０１１３】
本発明の１つの態様は、移動管理エンティティＭＭＥなどのモバイルネットワークエンティティであって、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端ＭＴデータ配信をサポートするために構成される。
【０１１４】
以下の態様および／または実施形態を（これらに限定されないが）含む、様々な実施形態が提供されてよく、これらは、様々な組合せに従って、単独でまたは組み合わせて行われてよい。
【０１１５】
実施形態において、前記モバイルネットワークエンティティは：
−  ＳＣＥＦがＭＴデータ配信レスポンスを待つ時間フレームを示す情報を含むＭＴデータ配信リクエストをＳＣＥＦから受け取ること
を行うように構成される。
【０１１６】
実施形態において：
−  ＭＴデータ配信サービスは、非ＩＰデータ配信ＭＴ  ＮＩＤＤに対応する。
【０１１７】
実施形態において、前記モバイルネットワークエンティティは：
−  ＵＥが前記時間フレーム内で応答することが予期される場合、ＭＴデータを格納すること、ＵＥが到達可能であることが知られているときにＵＥをページングすること、およびＵＥがページングリクエストに応答するときにＭＴデータをＵＥに配信すること
を行うように構成される。
【０１１８】
本発明のもう１つの態様は、サービス能力エクスポージャ機能ＳＣＥＦであり、前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端ＭＴデータ配信をサポートするために構成される。
【０１１９】
以下の態様および／または実施形態を（これらに限定されないが）含む、様々な実施形態が提供されてよく、これらは、様々な組合せに従って、単独でまたは組み合わせて行われてよい。
【０１２０】
実施形態において、前記ＳＣＥＦは：
−  ＳＣＥＦがＭＴデータ配信レスポンスを待つ時間フレームを示す情報を含むＭＴデータ配信リクエストを前記モバイルネットワークエンティティに送ること
を行うように構成される。
【０１２１】
実施形態において：
−  ＭＴデータ配信サービスは、非ＩＰデータ配信ＭＴ  ＮＩＤＤに対応する。
【０１２２】
本発明のもう１つの態様は、移動管理エンティティＭＭＥなどのモバイルネットワークエンティティであって、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端ＭＴデータ配信をサポートするために構成される。
【０１２３】
以下の態様および／または実施形態を（これらに限定されないが）含む、様々な実施形態が提供されてよく、これらは、様々な組合せに従って、単独でまたは組み合わせて行われてよい。
【０１２４】
実施形態において、前記モバイルネットワークエンティティは：
−  ＭＴデータを再送信するために、最大再送信時間の情報を含むＭＴデータ配信リクエストをＳＣＥＦから受け取ること
を行うように構成される。
【０１２５】
実施形態において：
−  ＭＴデータ配信サービスは、非ＩＰデータ配信ＭＴ  ＮＩＤＤに対応する。
【０１２６】
実施形態において、前記モバイルネットワークエンティティは：
−  ＵＥが前記最大再送信時間内に応答することが予期される場合、ＵＥへの不成功配信を示すＭＴデータ配信レスポンスの中で、モバイルネットワークエンティティによってリクエストされる再送信時間を示す情報をＳＣＥＦに送ること
を行うように構成される。
【０１２７】
実施形態において、前記モバイルネットワークエンティティは：
−  ＭＴ  ＮＩＤＤリクエストがＳＣＥＦに対して進行中であることを示す情報を格納すること
を行うように構成される。
【０１２８】
実施形態において、前記モバイルネットワークエンティティは：
−  前記リクエストされた再送信時間より前に、モバイル発信シグナリングをＵＥから受け取ると、ＵＥが前記ＭＴデータ配信に対して利用可能であることをＳＣＥＦに通告すること
を行うように構成される。
【０１２９】
実施形態において、前記モバイルネットワークエンティティは：
−  新しいサービングモバイルネットワークエンティティにＵＥが移動すると、前記移動をＳＣＥＦに通告し、前記新しいサービングモバイルネットワークエンティティへのＭＴデータの再送信をトリガすること
を行うように構成される。
【０１３０】
実施形態において、前記モバイルネットワークエンティティは：
−  新しいサービングモバイルネットワークエンティティにＵＥが移動すると、このＵＥへの保留中のＭＴデータ配信があることを、前記新しいサービングモバイルネットワークエンティティに通告すること
を行うように構成される。
【０１３１】
本発明のもう１つの態様は、サービス能力エクスポージャ機能ＳＣＥＦであり、前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、ＭＴデータ配信をサポートするために構成される。
【０１３２】
以下の態様および／または実施形態を（これらに限定されないが）含む、様々な実施形態が提供されてよく、これらは、様々な組合せに従って、単独でまたは組み合わせて行われてよい。
【０１３３】
実施形態において、前記ＳＣＥＦは：
−  ＭＴデータを再送信するために、最大再送信時間を示す情報を含むＭＴデータ配信リクエストを前記モバイルネットワークエンティティに送ること
を行うように構成される。
【０１３４】
実施形態において：
−  ＭＴデータ配信サービスは、非ＩＰデータ配信ＭＴ  ＮＩＤＤに対応する。
【０１３５】
実施形態において、前記ＳＣＥＦは：
−  不成功配信を示し、モバイルネットワークエンティティによってリクエストされる再送信時間を示す情報を収めるＭＴデータ配信レスポンスを、前記モバイルネットワークエンティティから受け取ると、前記配信が延期されることを、サービス能力サーバまたはアプリケーションサーバＳＣＳ／ＡＳなどのソースノードに通告すること
を行うように構成される。
【０１３６】
実施形態において、前記ＳＣＥＦは：
−  不成功配信を示し、モバイルネットワークエンティティによってリクエストされる再送信時間を示す情報を収めるＭＴデータ配信レスポンスを、前記モバイルネットワークエンティティから受け取ると、モバイルネットワークエンティティによってリクエストされたその時に、または前記モバイルネットワークエンティティによって、ＵＥが利用可能であることを通知されるその時に、ＭＴデータを再送信すること
を行うように構成される。
【０１３７】
実施形態において、前記ＳＣＥＦは：
−  不成功配信を示し、モバイルネットワークエンティティによってリクエストされる再送信時間を示す情報を収めるＭＴデータ配信レスポンスを、サービス能力サーバまたはアプリケーションサーバＳＣＳ／ＡＳなどのソースノードに送ること
を行うように構成される。
【０１３８】
本発明のもう１つの態様は、移動管理エンティティＭＭＥなどのモバイルネットワークエンティティであって、サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端データ配信をサポートするために構成される。
【０１３９】
以下の態様および／または実施形態を（これらに限定されないが）含む、様々な実施形態が提供されてよく、これらは、様々な組合せに従って、単独でまたは組み合わせて行われてよい。
【０１４０】
実施形態において、前記モバイルネットワークエンティティは：
−  ＳＣＥＦからのＭＴデータ配信リクエストを拒否した後、ＵＥ到達可能性を監視するように一旦構成されると、ＵＥが再び到達可能であることを示す通知の中で、このＵＥへのＭＴデータの再送信を優先させることを命令する情報をＳＣＥＦに送ること
を行うように構成される。
【０１４１】
実施形態において：
−  ＭＴデータ配信サービスは、非ＩＰデータ配信ＭＴ  ＮＩＤＤに対応する。
【０１４２】
実施形態において、前記モバイルネットワークエンティティは：
−  ＵＥが再び到達可能であることを示す通知の中で、モバイルネットワークエンティティがＵＥとのシグナリング接続を維持する予定である期間を示す、最大ＵＥ利用可能時間と呼ばれる情報をＳＣＥＦに送ること
を行うように構成される。
【０１４３】
本発明のもう１つの態様は、サービス能力エクスポージャ機能ＳＣＥＦであり、前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸを使用するユーザ機器ＵＥへの、モバイル終端データ配信をサポートするために構成される。
【０１４４】
以下の態様および／または実施形態を（これらに限定されないが）含む、様々な実施形態が提供されてよく、これらは、様々な組合せに従って、単独でまたは組み合わせて行われてよい。
【０１４５】
実施形態において、前記ＳＣＥＦは：
−  不成功配信の後、ＵＥが再び到達可能であることを示す通知の中で、このＵＥへのＭＴデータの再送信を優先させることを命令する情報をモバイルネットワークエンティティから受け取ること
を行うように構成される。
【０１４６】
実施形態において：
−  ＭＴデータ配信サービスは、非ＩＰデータ配信ＭＴ  ＮＩＤＤに対応する。
【０１４７】
実施形態において、前記ＳＣＥＦは：
−  不成功配信の後、ＵＥが再び到達可能であることを示す通知の中で、モバイルネットワークエンティティがＵＥとのシグナリング接続を維持する予定である期間を示す、最大ＵＥ利用可能時間と呼ばれる情報をモバイルネットワークエンティティから受け取ること
を行うように構成される。
【０１４８】
実施形態において、前記ＳＣＥＦは：
−  このＵＥへのＭＴデータの再送信を優先させることを命令する前記情報、または前記最大ＵＥ利用可能時間を、サービス能力サーバまたはアプリケーションサーバＳＣＳ／ＡＳなどのソースノードに通告すること
を行うように構成される。
【０１４９】
実施形態において、前記ＳＣＥＦは：
−  前記不成功配信を示し、ＵＥ到達可能性を監視することがトリガされるという指示を収めるＭＴデータ配信レスポンスを、サービス能力サーバまたはアプリケーションサーバＳＣＳ／ＡＳなどのソースノードに送ること
を行うように構成される。
【０１５０】
本発明のもう１つの態様は、移動管理エンティティＭＭＥなどのモバイルコアネットワークエンティティであり、サービス能力エクスポージャ機能ＳＣＥＦと前記モバイルコアネットワークエンティティとの間のＴ６ａインターフェースなどのインターフェースを介した、前記モバイルコアネットワークエンティティによってサービスされる拡張アイドルモードＤＲＸを使用するユーザ機器ＵＥへの、モバイル終端ＳＭＳをサポートするために、またはモバイル終端するデータ配信をサポートするために構成される。
【０１５１】
以下の態様および／または実施形態を（これらに限定されないが）含む、様々な実施形態が提供されてよく、これらは、様々な組合せに従って、単独でまたは組み合わせて行われてよい。
【０１５２】
実施形態において、前記モバイルコアネットワークエンティティは：
−  ＵＥへのモバイル終端ＳＭＳまたはモバイル終端データの保留中の配信に基づいて、ＵＥとのシグナリング接続が維持されるべき時間を決定する際に無線アクセスネットワークを支援するために、無線アクセスネットワークに情報を送ること
を行うように構成される。
【０１５３】
実施形態において：
−  ＭＴデータ配信サービスは、非ＩＰデータ配信ＭＴ  ＮＩＤＤに対応する。
【０１５４】
実施形態において、前記モバイルコアネットワークエンティティは：
−  ＵＥへの保留中のシグナリングがあるかどうかに基づいて、予期されるＵＥの動きのＩＥ内の予期される活動期間の値をＳ１ＡＰシグナリング内にセットすること、またはこのＵＥに対する保留中のネットワークが開始したシグナリングがあることをｅノードＢに通告する新しい情報を含めること、またはこのＵＥに対してｅノードＢによって使用されるべき推奨される最小ユーザ活動タイマーを含めること
を行うように構成される。
【０１５５】
本発明のもう１つの態様は、拡張アイドルモードＤＲＸを使用するユーザ機器ＵＥへのモバイル終端配信サービスをサポートするための方法であり、前記方法は、このように構成されたエンティティのうちの少なくとも１つによって実施される少なくとも１つのステップを含む。
【０１５６】
当業者は、様々な上記の方法のステップが、プログラムされたコンピュータによって実施され得ることを容易に認識するであろう。本明細書では、いくつかの実施形態は、機械またはコンピュータで読み取り可能であり、機械実行可能またはコンピュータ実行可能な命令のプログラムをエンコードする、例えばデジタルデータ記憶媒体といった、プログラム記憶デバイスを対象範囲に含むことも意図されており、前記命令は、前記上記の方法のステップのいくつかまたはすべてを実施する。プログラム記憶デバイスは、例えば、デジタルメモリ、磁気ディスクおよび磁気テープなどの磁気記憶媒体、ハードドライブ、または光学的に読み取り可能なデジタルデータ記憶媒体であってよい。実施形態は、上記の方法の前記ステップを実施するようにプログラムされたコンピュータを対象範囲に含むことも意図される。
【図１】
2019500796.tif 000003
【図２】
2019500796.tif 000004
【図３】
2019500796.tif 000005
【図４】
2019500796.tif 000006
【図５】
2019500796.tif 000007
【図６】
2019500796.tif 000008
【図７】
2019500796.tif 000009
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
移動管理エンティティＭＭＥなどのモバイルネットワークエンティティであって、
少なくとも１つのプロセッサと、
コンピュータプログラムコードを含む少なくとも１つのメモリと
を備え、
少なくとも１つのメモリおよびコンピュータプログラムコードが、少なくとも１つのプロセッサによって、モバイルネットワークエンティティに、少なくとも
−  サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非インターネットプロトコルデータ配信ＭＴ  ＮＩＤＤをサポートすること、
−  ＳＣＥＦがＭＴ  ＮＩＤＤレスポンスを待つ時間フレームを示す情報を含むＭＴ  ＮＩＤＤリクエストをＳＣＥＦから受け取ること
を行わせるように構成される、モバイルネットワークエンティティ。
【請求項２】
少なくとも１つのメモリおよびコンピュータプログラムコードが、少なくとも１つのプロセッサによって、モバイルネットワークエンティティに、少なくとも
−  ＵＥが前記時間フレーム内で応答することが予期される場合、ＭＴデータを格納すること、ＵＥが到達可能であることが知られているときにＵＥをページングすること、およびＵＥがページングリクエストに応答するときにＭＴデータをＵＥに配信すること
を行わせるように構成される、請求項１に記載のモバイルネットワークエンティティ。
【請求項３】
サービス能力エクスポージャ機能ＳＣＥＦであって、
少なくとも１つのプロセッサと、
コンピュータプログラムコードを含む少なくとも１つのメモリと
を備え、
少なくとも１つのメモリおよびコンピュータプログラムコードが、少なくとも１つのプロセッサによって、サービス能力エクスポージャ機能ＳＣＥＦに、少なくとも
−  前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非インターネットプロトコルデータ配信ＭＴ  ＮＩＤＤをサポートすること、
−  ＳＣＥＦがＭＴ  ＮＩＤＤレスポンスを待つ時間フレームを示す情報を含むＭＴ  ＮＩＤＤリクエストを前記モバイルネットワークエンティティに送ること
を行わせるように構成される、サービス能力エクスポージャ機能ＳＣＥＦ。
【請求項４】
移動管理エンティティＭＭＥなどのモバイルネットワークエンティティであって、
少なくとも１つのプロセッサと、
コンピュータプログラムコードを含む少なくとも１つのメモリと
を備え、
少なくとも１つのメモリおよびコンピュータプログラムコードが、少なくとも１つのプロセッサによって、モバイルネットワークエンティティに、少なくとも
−  サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非インターネットプロトコルデータ配信ＭＴ  ＮＩＤＤをサポートすること、
−  ＳＣＥＦがＭＴデータを再送信できる最大再送信時間を示す情報を含むＭＴ  ＮＩＤＤリクエストをＳＣＥＦから受け取ること
を行わせるように構成される、モバイルネットワークエンティティ。
【請求項５】
少なくとも１つのメモリおよびコンピュータプログラムコードが、少なくとも１つのプロセッサによって、モバイルネットワークエンティティに、少なくとも
−  ＵＥが前記最大再送信時間内に応答することが予期される場合、ＵＥへの不成功配信を示すＭＴ  ＮＩＤＤレスポンスの中で、モバイルネットワークエンティティによってリクエストされる再送信時間を示す情報をＳＣＥＦに送ること
を行わせるように構成される、請求項４に記載のモバイルネットワークエンティティ。
【請求項６】
少なくとも１つのメモリおよびコンピュータプログラムコードが、少なくとも１つのプロセッサによって、モバイルネットワークエンティティに、少なくとも
−  ＭＴ  ＮＩＤＤリクエストがＳＣＥＦに対して進行中であることを示す情報を格納すること
を行わせるように構成される、請求項５に記載のモバイルネットワークエンティティ。
【請求項７】
少なくとも１つのメモリおよびコンピュータプログラムコードが、少なくとも１つのプロセッサによって、モバイルネットワークエンティティに、少なくとも
−  前記リクエストされた再送信時間より前に、ＵＥが利用可能になると、ＵＥが前記ＭＴデータ配信に対して利用可能であることをＳＣＥＦに通告すること
を行わせるように構成される、請求項５または６に記載のモバイルネットワークエンティティ。
【請求項８】
少なくとも１つのメモリおよびコンピュータプログラムコードが、少なくとも１つのプロセッサによって、モバイルネットワークエンティティに、少なくとも
−  新しいサービングモバイルネットワークエンティティにＵＥが移動すると、前記移動をＳＣＥＦに通告し、前記新しいサービングモバイルネットワークエンティティへのＭＴデータの再送信をトリガすること
を行わせるように構成される、請求項５から７のいずれか一項に記載のモバイルネットワークエンティティ。
【請求項９】
少なくとも１つのメモリおよびコンピュータプログラムコードが、少なくとも１つのプロセッサによって、モバイルネットワークエンティティに、少なくとも
−  新しいサービングモバイルネットワークエンティティにＵＥが移動すると、このＵＥへの保留中のＭＴ  ＮＩＤＤがあることを、前記新しいサービングモバイルネットワークエンティティに通告すること
を行わせるように構成される、請求項５から８のいずれか一項に記載のモバイルネットワークエンティティ。
【請求項１０】
サービス能力エクスポージャ機能ＳＣＥＦであって、
少なくとも１つのプロセッサと、
コンピュータプログラムコードを含む少なくとも１つのメモリと
を備え、
少なくとも１つのメモリおよびコンピュータプログラムコードが、少なくとも１つのプロセッサによって、サービス能力エクスポージャ機能ＳＣＥＦに、少なくとも
−  前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非インターネットプロトコルデータ配信ＭＴ  ＮＩＤＤをサポートすること、
−  ＳＣＥＦがＭＴデータを再送信できる最大再送信時間を示す情報を含むＭＴ  ＮＩＤＤリクエストを前記モバイルネットワークエンティティに送ること
を行わせるように構成される、サービス能力エクスポージャ機能ＳＣＥＦ。
【請求項１１】
少なくとも１つのメモリおよびコンピュータプログラムコードが、少なくとも１つのプロセッサによって、サービス能力エクスポージャ機能ＳＣＥＦに、少なくとも
−  不成功配信を示し、モバイルネットワークエンティティによってリクエストされる再送信時間を示す情報を収めるＭＴ  ＮＩＤＤレスポンスを、前記モバイルネットワークエンティティから受け取ること
を行わせるように構成される、請求項１０に記載のサービス能力エクスポージャ機能ＳＣＥＦ。
【請求項１２】
少なくとも１つのメモリおよびコンピュータプログラムコードが、少なくとも１つのプロセッサによって、サービス能力エクスポージャ機能ＳＣＥＦに、少なくとも
−  不成功配信を示し、モバイルネットワークエンティティによってリクエストされる再送信時間を示す情報を収めるＭＴ  ＮＩＤＤレスポンスを、前記モバイルネットワークエンティティから受け取ると、前記配信が延期されることを、サービス能力サーバまたはアプリケーションサーバＳＣＳ／ＡＳなどのソースノードに通告すること
を行わせるように構成される、請求項１０または１１に記載のサービス能力エクスポージャ機能ＳＣＥＦ。
【請求項１３】
少なくとも１つのメモリおよびコンピュータプログラムコードが、少なくとも１つのプロセッサによって、サービス能力エクスポージャ機能ＳＣＥＦに、少なくとも
−  不成功配信を示し、モバイルネットワークエンティティによってリクエストされる再送信時間を示す情報を収めるＭＴ  ＮＩＤＤレスポンスを、前記モバイルネットワークエンティティから受け取ると、モバイルネットワークエンティティによってリクエストされたその時に、または前記モバイルネットワークエンティティによって、ＵＥが利用可能であることを通知されるその時に、ＭＴデータを再送信すること
を行わせるように構成される、請求項１０から１２のいずれか一項に記載のサービス能力エクスポージャ機能ＳＣＥＦ。
【請求項１４】
少なくとも１つのメモリおよびコンピュータプログラムコードが、少なくとも１つのプロセッサによって、サービス能力エクスポージャ機能ＳＣＥＦに、少なくとも
−  不成功配信を示し、モバイルネットワークエンティティによってリクエストされる再送信時間を示す情報を収めるＭＴ  ＮＩＤＤレスポンスを、サービス能力サーバまたはアプリケーションサーバＳＣＳ／ＡＳなどのソースノードに送ること
を行わせるように構成される、請求項１０から１２のいずれか一項に記載のサービス能力エクスポージャ機能ＳＣＥＦ。
【請求項１５】
移動管理エンティティＭＭＥなどのモバイルネットワークエンティティであって、
少なくとも１つのプロセッサと、
コンピュータプログラムコードを含む少なくとも１つのメモリと
を備え、
少なくとも１つのメモリおよびコンピュータプログラムコードが、少なくとも１つのプロセッサによって、モバイルネットワークエンティティに、少なくとも
−  サービス能力エクスポージャ機能ＳＣＥＦと前記モバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非インターネットプロトコルデータ配信ＭＴ  ＮＩＤＤをサポートすること
−  ＳＣＥＦからのＭＴ  ＮＩＤＤリクエストを拒否した後、ＵＥ到達可能性を監視するように一旦構成されると、ＵＥが再び到達可能であることを示す通知の中で、モバイルネットワークエンティティがＵＥとのシグナリング接続を維持する予定である時間ウィンドウを示す最大ＵＥ利用可能時間を示す情報をＳＣＥＦに送ること
を行わせるように構成される、モバイルネットワークエンティティ。
【請求項１６】
サービス能力エクスポージャ機能ＳＣＥＦであって、
少なくとも１つのプロセッサと、
コンピュータプログラムコードを含む少なくとも１つのメモリと
を備え、
少なくとも１つのメモリおよびコンピュータプログラムコードが、少なくとも１つのプロセッサによって、サービス能力エクスポージャ機能ＳＣＥＦに、少なくとも
−  前記サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非インターネットプロトコルデータ配信ＭＴ  ＮＩＤＤをサポートすること、
−  不成功配信の後、ＵＥが再び到達可能であることを示す通知の中で、モバイルネットワークエンティティがＵＥとのシグナリング接続を維持する予定である時間ウィンドウを示す最大ＵＥ利用可能時間を示す情報をモバイルネットワークエンティティから受け取ること
を行わせるように構成される、サービス能力エクスポージャ機能ＳＣＥＦ。
【請求項１７】
少なくとも１つのメモリおよびコンピュータプログラムコードが、少なくとも１つのプロセッサによって、サービス能力エクスポージャ機能ＳＣＥＦに、少なくとも
−  最大ＵＥ利用可能時間を示す前記情報を使用してＭＴデータの再送信を優先させること
を行わせるように構成される、請求項１６に記載のサービス能力エクスポージャ機能ＳＣＥＦ。
【請求項１８】
少なくとも１つのメモリおよびコンピュータプログラムコードが、少なくとも１つのプロセッサによって、サービス能力エクスポージャ機能ＳＣＥＦに、少なくとも
−  このＵＥへのＭＴデータの再送信を優先させることを命令する前記情報、または前記最大ＵＥ利用可能時間を、サービス能力サーバまたはアプリケーションサーバＳＣＳ／ＡＳなどのソースノードに通告すること
を行わせるように構成される、請求項１６または１７に記載のサービス能力エクスポージャ機能ＳＣＥＦ。
【請求項１９】
少なくとも１つのメモリおよびコンピュータプログラムコードが、少なくとも１つのプロセッサによって、サービス能力エクスポージャ機能ＳＣＥＦに、少なくとも
−  前記不成功配信を示し、ＵＥ到達可能性を監視することがトリガされるという指示を収めるＭＴ  ＮＩＤＤレスポンスを、サービス能力サーバまたはアプリケーションサーバＳＣＳ／ＡＳなどのソースノードに送ること
を行わせるように構成される、請求項１６から１８のいずれか一項に記載のサービス能力エクスポージャ機能ＳＣＥＦ。
【請求項２０】
サービス能力エクスポージャ機能ＳＣＥＦと移動管理エンティティＭＭＥなどのモバイルネットワークエンティティとの間のＴ６ａインターフェースなどのインターフェースを介した、前記モバイルネットワークエンティティによってサービスされる拡張アイドルモードＤＲＸなどの省電力メカニズムを使用するユーザ機器ＵＥへの、モバイル終端非インターネットプロトコルデータ配信ＭＴ  ＮＩＤＤをサポートするための方法であって、前記方法は、請求項１、２、４、５、６、７、８、９、１５のいずれか一項に記載のモバイルネットワークエンティティ、および請求項３、１０、１１、１２、１３、１４、１６、１７、１８、１９のいずれか一項に記載のサービス能力エクスポージャ機能のうちの少なくとも１つによって実施される少なくとも１つのステップを含む、方法。
【国際調査報告】
2019500796.tif 000010
2019500796.tif 000011
2019500796.tif 000012